(57)【要約】医療用具収納体１０は、医療用具包装体収納ケース１と、医療用具包装体収納ケース１に収納された複数の医療用具包装体５とからなる。医療用具包装体収納ケース１は、複数の医療用具包装体５を積層した状態にて収納する収納本体部２と、収納本体部２に取り付けられたハンドル部３とを備える。収納本体部２は、前面下部から一方の側面下部に延びる医療用具包装体取出用開口部２７を備えている。
2019131465.tif 000002
【特許請求の範囲】
【請求項１】
注射針とプレフィルドシリンジと、前記注射針と前記プレフィルドシリンジを収納した収納箱からなる医療用具包装体を複数収納するための医療用具包装体収納ケースであって、
前記医療用具包装体収納ケースは、複数の前記医療用具包装体を積層した状態にて収納する収納本体部と、前記収納本体部に取り付けられたハンドル部とを備え、前記収納本体部は、前面下部から一方の側面下部に延びる医療用具包装体取出用開口部を備えることを特徴とする医療用具包装体収納ケース。
【請求項２】
前記医療用具包装体は、略直方体状医療用具包装体であり、前記医療用具包装体収納ケースは、長手方向に平置きされた前記略直方体状医療用具包装体を複数積層した状態にて収納するものである請求項１に記載の医療用具包装体収納ケース。
【請求項３】
前記収納本体部は、前面板状部と、前記前面板状部と向かい合う背面板状部と、前記前面板状部の側部と前記背面板状部の側部を接続する第１の側部板状部および第２の側部板状部と、前記背面板状部の下端部と前記第１の側部板状部または／および前記第２の側部板状部の下端部を接続する底板部と、前記収納本体部の上部に設けられた上部開口部と、前記前面板状部の下部に設けられた前部下部開口部と、前記第１の側部板状部または前記第２の側部板状部の下部に設けられ、前記前部下部開口部と連続する側部下部開口部とを備え、前記前部下部開口部と前記側部下部開口部により前記医療用具包装体取出用開口部が形成されている請求項１または２に記載の医療用具包装体収納ケース。
【請求項４】
前記前部下部開口部は、前記前面板状部の下部の横方向のほぼ全体が開口したものであり、前記側部下部開口部は、前記側部板状部の下部の横方向の半分以上が開口したものである請求項３に記載の医療用具包装体収納ケース。
【請求項５】
前記医療用具包装体は、略直方体状医療用具包装体であり、前記医療用具包装体収納ケースは、長手方向に平置きされた前記略直方体状医療用具包装体を複数積層した積層物を前後に複数列収納するものである請求項２ないし４のいずれかに記載の医療用具包装体収納ケース。
【請求項６】
前記注射針は、皮内注射針であり、前記医療用具包装体は、前記皮内注射針をほぼ垂直状態に収納しており、前記医療用具包装体収納ケースは、前記医療用具包装体を前記皮内注射針がほぼ垂直状態となるように複数積層した状態にて収納するものである請求項１ないし５のいずれかに記載の医療用具包装体収納ケース。
【請求項７】
前記医療用具包装体収納ケースは、温度履歴表示体を備えている請求項１ないし６のいずれかに記載の医療用具包装体収納ケース。
【請求項８】
前記ハンドル部は、前記収納本体部に対して、回動可能もしくは上下移動可能となっている請求項１ないし７のいずれかに記載の医療用具包装体収納ケース。
【請求項９】
前記医療用具包装体収納ケースは、折り畳み可能である請求項１ないし８のいずれかに記載の医療用具包装体収納ケース。
【請求項１０】
請求項１ないし９のいずれかに記載の医療用具包装体収納ケースと、前記医療用具包装体収納ケースに収納された複数の医療用具包装体からなる医療用具収納体であって、
前記医療用具包装体は、略直方体状医療用具包装体であり、前記医療用具包装体収納ケースは、長手方向に平置きされた前記略直方体状医療用具包装体を複数積層した状態にて収納していることを特徴とする医療用具収納体。
【発明の詳細な説明】
【技術分野】
【０００１】
本発明は、注射針とプレフィルドシリンジとを収納した収納箱からなる医療用具包装体を複数収納するための医療用具包装体収納ケースおよび医療用具包装体収納ケースに収納された複数の医療用具包装体からなる医療用具収納体に関する。
【背景技術】
【０００２】
本件出願人は、２０１６年度より、季節性インフルエンザ用プレフィルド製剤向けシリンジと皮内注射針の提供を開始し、これを購入した薬剤企業は、シリンジに薬剤を充填してプレフィルドシリンジ化した後、皮内注射針とプレフィルドシリンジを箱に収納した形態（キット製品）として、販売する。従来は、患者に投与する前にバイアルから製剤をシリンジに吸い出す必要があったが、上記のキット製品では箱を開けてプレフィルドシリンジを取り出し、先端に皮内注射針を付けることで患者に投与できるため、医療従事者の作業負担軽減が期待できる。【０００３】
しかし、キット製品は、従来のバイアル製剤に比べて製品の体積が大きくなるため、複数のキット製品を収納した包装形態（単位箱）では、ある程度の保管スペースが必要になる。また、季節性インフルエンザワクチンは、遮光及び凍結を避けた１０℃以下での保管が必要であり、冷蔵庫内で保管しなければならない。
そこで、医療従事者の作業負担軽減が期待できるキット製品の利用促進のためには、複数のキット製品を冷蔵庫内に効率よく収納できること、取り出しも容易であることが必要であると本願発明者らが知見した。
【先行技術文献】
【特許文献】
【０００４】
【特許文献１】特開２０００−２９６８４２（ＷＯ００−６１４４４、ＵＳＰ６９０２０６２）
【発明の概要】
【発明が解決しようとする課題】
【０００５】
医療用具ではない一般的商品（例えば、乾電池）において、積み重ねた状態にて複数の商品を取り出し可能に収納する収納ケースは、従来より使用されている。例えば、特開２０００−２９６８４２（特許文献１）がある。【０００６】
しかし、注射針とプレフィルドシリンジとを収納した収納箱からなる医療用具包装体は、内部に注射針とプレフィルドシリンジを収納しているため、それらが使用時まで安定した状態にて保管されることが必要である。【０００７】
本発明の目的は、注射針とプレフィルドシリンジとを収納した収納箱からなる複数の医療用具包装体を、冷蔵庫内に効率よく収納できること、また取り出しも容易であり、かつ、安定した状態にて冷蔵庫内での保管を可能とする医療用具包装体収納ケースおよび医療用具収納体を提供するものである。
【課題を解決するための手段】
【０００８】
上記目的を達成するものは、以下のものである。
注射針とプレフィルドシリンジと、前記注射針と前記プレフィルドシリンジを収納した収納箱からなる医療用具包装体を複数収納するための医療用具包装体収納ケースであって、
前記医療用具包装体収納ケースは、複数の前記医療用具包装体を積層した状態にて収納する収納本体部と、前記収納本体部に取り付けられたハンドル部とを備え、前記収納本体部は、前面下部から一方の側面下部に延びる医療用具包装体取出用開口部を備える医療用具包装体収納ケース。【０００９】
また、上記目的を達成するものは、以下のものである。
上記に記載の医療用具包装体収納ケースと、前記医療用具包装体収納ケースに収納された複数の医療用具包装体からなる医療用具収納体であって、
前記医療用具包装体は、略直方体状医療用具包装体であり、前記医療用具包装体収納ケースは、長手方向に平置きされた前記略直方体状医療用具包装体を複数積層した状態にて収納している医療用具収納体。
【図面の簡単な説明】
【００１０】
【図１】図１は、本発明の医療用具包装体収納ケースを用いた本発明の医療用具収納体の一実施例の正面図である。
【図２】図２は、図１に示した医療用具収納体の右側面図である。
【図３】図３は、図１に示した医療用具収納体の斜め右上から見た斜視図である。
【図４】図４は、本発明の医療用具包装体収納ケースの斜視図である。
【図５】図５は、本発明の他の実施例の医療用具包装体収納ケースを用いた本発明の医療用具収納体の右側面図である。
【図６】図６は、図５に示した医療用具収納体の斜め右上から見た斜視図である。
【図７】図７は、本発明の他の実施例の医療用具包装体収納ケースを用いた本発明の医療用具収納体の右側面図である。
【図８】図８は、本発明の他の実施例の医療用具包装体収納ケースを用いた本発明の医療用具収納体の斜視図である。
【図９】図９は、本発明の他の実施例の医療用具包装体収納ケースを用いた本発明の医療用具収納体の正面図である。
【図１０】図１０は、本発明の他の実施例の医療用具包装体収納ケースを用いた本発明の医療用具収納体の正面図である。
【図１１】図１１は、図１０に示した医療用具収納体の右側面図である。
【図１２】図１２は、本発明の医療用具包装体収納ケースに収納される医療用具包装体の一例の斜視図である。
【図１３】図１３は、本発明の医療用具包装体に使用される皮内注射針包装体の一例の断面図である。
【図１４】図１４は、本発明の医療用具包装体収納ケースに収納される医療用具包装体の一例の長手方向縦断面図である。
【図１５】図１５は、本発明の他の実施例の医療用具包装体収納ケースを用いた本発明の医療用具収納体の一実施例の正面図である。
【図１６】図１６は、図１５に示した医療用具収納体の右側面図である。
【図１７】図１７は、図１５に示した医療用具収納体の斜め右上から見た斜視図である。
【図１８】図１８は、図１５に示した医療用具収納体の底面図である。
【図１９】図１９は、図１５に示した医療用具包装体収納ケースの作用を説明する説明図である。
【図２０】図２０は、本発明の他の実施例の医療用具包装体収納ケースを用いた本発明の医療用具収納体の一実施例の正面図である。
【図２１】図２１は、図２０に示した医療用具包装体収納ケースの斜め右上から見た斜視図である。
【発明を実施するための形態】
【００１１】
本発明の医療用具包装体収納ケースおよび医療用具収納体を図面に示した実施例を用いて説明する。
本発明の医療用具包装体収納ケース１は、注射針６とプレフィルドシリンジ８と、注射針６とプレフィルドシリンジ８を収納した収納箱１６からなる医療用具包装体５を複数収納するための医療用具包装体収納ケースである。
また、本発明の医療用具収納体１０は、上記の医療用具包装体収納ケース１と、医療用具包装体収納ケース１に収納された複数の医療用具包装体５からなる医療用具収納体である。
医療用具包装体収納ケース１は、複数の医療用具包装体５を積層した状態にて収納する収納本体部２と、収納本体部２に取り付けられたハンドル部３とを備える。収納本体部２は、前面下部から一方の側面下部に延びる医療用具包装体取出用開口部２７を備えている。
【００１２】
医療用具包装体収納ケース１に収納される医療用具包装体５は、図１ないし図１２に示すように、収納箱１６とその内部に注射針６を収納した注射針包装体９とプレフィルドシリンジ８とを備える。医療用具包装体５（収納箱１６）は、図１ないし図１２に示すように、 略直方体状医療用具包装体５であり、特に、この実施例では、図１２ないし図１４に示すように、注射針包装体９は、注射針６をその針先が下方を向くようにほぼ垂直状態にて収納している。そして、図１４に示すように、医療用具包装体５（収納箱１６）には、注射針包装体９が、注射針６をその針先が下方を向いた状態を維持するように収納されている。
【００１３】
また、図１４に示すように、プレフィルドシリンジ８は、横置き状態にて収納されている。具体的には、図１４に示すように、医療用具包装体５（収納箱１６）内には、収納箱１６の底面上に保持部材４１が配置されており、保持部材４１は、注射針包装体保持部４２と、プレフィルドシリンジ保持部を備えている。注射針包装体保持部４２は、注射針包装体９の下部を収納する凹部を備えるものとなっている。この実施例のものでは、プレフィルドシリンジ保持部は、プレフィルドシリンジの先端部載置部４５と、プランジャ後端部載置部４４と、外筒のフランジ保持部４３を備えている。
【００１４】
また、この医療用具包装体５にて使用する注射針包装体９は、収納容器１１と、その内部に収納された注射針６とからなる。注射針６は、この実施例では、図１３に示すように、皮内注射針６が使用されている。皮内注射針６は、容器１１に収納され、注射針収納体９の形態にて、包装箱１６内に収納されている。容器１１は、上面が開口したカップ状の容器本体１３と、その上面を封止する封止シート１５により構成されている。容器本体１３内には、皮内注射針収納空間が形成されており、また、下部には、皮内注射針を載置するための環状段差部（環状小径部）１７を備えている。このため、皮内注射針６は、針先が、容器本体内面に接触することなく、かつ、ほぼ垂直状態にて収納されている。
【００１５】
また、この実施例の皮内注射針６は、図１３に示すように、下端に刃面９２を有する中空針９１と、刃面９２を有する先端部が突出するように中空針９１に固定されたハブ９３と、ハブ９３の基端部に装着された筒状コネクター９４を備える。ハブ９３は、円盤状部９６と、円盤状部９６より下方に突出する皮膚押圧用円筒部９７を備えている。筒状コネクター９４は、ハブ９３への固定部となる先端フランジ部と、後端部外面に形成された皮内注射針側螺合部と、プレフィルドシリンジのノズル部収納部９５を有している。さらに、この実施例の皮内注射針６は、コネクター９４に収納されたシール部材９８を備える。シール部材９８は、ハブ９３の基端面にシール部材の先端面が当接するように収納されている。シール部材は、装着されるシリンジのノズル部の先端とハブ９３の後端間に押圧され、ハブ９３の後端面およびシリンジのノズル部の先端面と液密に接触する。
注射針包装体９では、注射針６の上記の円盤状部９６の周縁部下面が、容器本体１３の環状段差部（環状小径部）１７の上面に載置され、注射針６の上記の皮膚押圧用円筒部９７が、容器本体１３の環状段差部（環状小径部）１７の内部に収納された状態となっている。このため、皮内注射針６は、針先が、容器本体内面に接触することなく、かつ、ほぼ垂直状態にて収納されている。
【００１６】
次に、本発明の医療用具包装体収納ケース１および複数の医療用具包装体５からなる医療用具収納体１０について、説明する。
医療用具包装体収納ケース１は、複数の医療用具包装体５を積層した状態にて収納する収納本体部２と、収納本体部２に取り付けられたハンドル部３とを備える。この実施例の収納本体部２は、上方に長く延びた直方体状のものとなっている。この実施例では、収納される医療用具包装体は、上述した略直方体状医療用具包装体であり、医療用具包装体収納ケース１は、長手方向に平置きされた略直方体状医療用具包装体を複数積層した状態にて収納可能なものとなっている。
そして、この実施例では、収納本体部２は、前面板状部２１と、前面板状部と向かい合う背面板状部２４と、前面板状部２１の側部と背面板状部２４の側部を接続する第１の側部板状部２２および第２の側部板状部２３と、背面板状部２４の下端部と第１の側部板状部２２または／および第２の側部板状部２３（この実施例では、第１の側部板状部２２および第２の側部板状部２３）の下端部を接続する底板部２５を備えている。
【００１７】
さらに、医療用具包装体収納ケース１は、収納本体部２の上部に設けられた上部開口部２６と、前面板状部２１の下部に設けられた前部下部開口部と、第１の側部板状部または第２の側部板状部（この実施例では、第１の側部板状部２２）の下部に設けられ、前部下部開口部と連続する側部下部開口部とを備える。そして、前部下部開口部と側部下部開口部により医療用具包装体取出用開口部２７が形成されている。言い換えれば、この実施例では、前部下部開口部とそれと連続する側部下部開口部により、前面下部から一方の側面下部に延びる医療用具包装体取出用開口部２７が形成されている。
【００１８】
そして、この実施例では、前部下部開口部は、前面板状部２１の下部の横方向のほぼ全体が開口したものであり、側部下部開口部は、側部板状部２２の下部の横方向の半分以上が開口している。このため、この実施例では、図３に示すように、医療用具包装体取出用開口部２７において、略直方体状医療用具包装体５の横に長い前面部５１の全体および一方の側面部５２の全体が露出するとともに、前面部５１と側面部５２を繋ぐ角部も露出している。よって、医療用具包装体取出用開口部２７より、医療用具包装体５を容易に取り出すことができる。また、この実施例の医療用具包装体収納ケース１は、底板部２５上に、最下層の医療用具包装体５の底面部が載置されているため、ケース１とともに、収納されている医療用具包装体５を容易に運ぶことができる。
【００１９】
また、この実施例の医療用具包装体収納ケース１は、複数個の医療用具包装体５を積層した状態にて収納可能であり、積層される医療用具包装体５の個数としては、３〜１０程度、特に、３〜８が好ましい。図示する実施例では、５個の医療用具包装体５を積層した状態にて収納可能となっている。さらに、この実施例の医療用具包装体収納ケース１は、長手方向に平置きされた略直方体状医療用具包装体を複数積層した積層物を前後に複数列（具体的には、２列）収納可能なものとなっている。このため、多くの医療用具包装体５を収納可能である。
そして、上述したしたように、医療用具包装体５に収納されている注射針は、皮内注射針６であり、医療用具包装体５は、皮内注射針６をほぼ垂直状態に収納しており、医療用具包装体収納ケース１は、略直方体状医療用具包装体５を皮内注射針がほぼ垂直状態となるように複数積層した状態にて収納可能なものとなっている。
【００２０】
医療用具包装体収納ケース１は、収納本体部２に取り付けられたハンドル部３を備える。この実施例では、ハンドル部３は、回動可能に収納本体部２に取り付けられている。なお、ハンドル部はこのようなものに限定されない。
この実施例のハンドル部３は、ハンドルバー３１と、ハンドルバー３１の両端部に上端部が固定された２つのハンドル側部３２ａ、３２ｂを備える。ハンドルバー３１は、円柱もしくは円筒状のものが好適である。ハンドル側部３２ａ、３２ｂは、固定部材３３ａ，３３ｂにより、ハンドルバー３１に固定されている。
【００２１】
さらに、ハンドル側部３２ａ、３２ｂは、回動可能に収納本体部２の第１の側部板状部２２および第２の側部板状部２３に固定されている。このため、ハンドル部３は、収納本体部２の前後方向に回動可能となっている。この実施例では、ハンドル側部３２ａ、３２ｂは、板状の部材により形成されており、それぞれの下端部が、第１の固定部材（基板部）３４ａ、３４ｂと、ハンドル側部３２ａ、３２ｂの下端部を貫通する第２の固定部材（回動軸部材）３５ａ、３５ｂにより固定されている。このため、ハンドル部３は、第２の固定部材（回動軸部材）３５ａ、３５ｂを軸芯として、回動可能となっている。
【００２２】
さらに、この実施例の医療用具包装体収納ケース１および医療用具収納体１０では、温度履歴表示体（言い換えれば、温度履歴インジケータ）１４を備えている。具体的には、収納本体部２の視認が容易な部位（具体的には、前面板状部２１の上部）に、温度履歴表示体１４が取付けられている。温度履歴表示体としては、所定温度に到達すると所定の発色が生じ、かつ、その状態が維持されるもの（いわゆる不可逆タイプ）のものが好適である。発色が発生する所定温度としては、医療用具包装体５内のプレフィルドシリンジ８に収納される薬剤の保温上限温度もしくは保温下限温度を考慮して選択される。薬剤が、例えば、ワクチン（例えば、インフルエンザワクチン）の場合には、所定温度（発色温度）は、保温上限温度である１０℃であることが好ましい。
【００２３】
不可逆タイプの温度履歴表示体としては、公知のもの（例えば、不可逆サーモラベル、温度ラベル）が使用できる。例えば、所定温度に到達する所定の発色が生じ、かつ、その状態が維持される不可逆性示温インクを透明シートに塗布したもの、各種の紙、合成紙、不織布、織布、アルミニウム等の金属箔、ガラスやプラスチックフィルムなどの支持体上に通常無色ないし淡色の電子供与性染料前駆体、及び染料前駆体を発色させる電子受容性化合物を主成分とする不可逆的感熱記録層を設けたものなどが挙げられる。
【００２４】
また、本発明の本発明の医療用具包装体収納ケースおよび複数の医療用具包装体５からなる医療用具収納体は、図５および図６に示すような医療用具包装体収納ケース１ａおよび医療用具収納体１０ａであってもよい。
この実施例の医療用具包装体収納ケース１ａおよび医療用具収納体１０ａと上述した医療用具包装体収納ケース１および医療用具収納体１０との相違は、医療用具包装体取出用開口部の形態のみである。
この実施例の医療用具包装体収納ケース１ａにおいても、収納本体部２ａの上部に設けられた上部開口部２６と、前面板状部２１の下部に設けられた前部下部開口部と、第１の側部板状部または第２の側部板状部（この実施例では、第１の側部板状部２２）の下部に設けられ、前部下部開口部と連続する側部下部開口部とを備える。そして、前部下部開口部と側部下部開口部により医療用具包装体取出用開口部２７ａが形成されている。
【００２５】
また、この実施例の医療用具包装体収納ケース１ａにおいても、長手方向に平置きされた略直方体状医療用具包装体を複数積層した積層物を前後に複数列（具体的には、２列）収納可能なものとなっている。そして、この実施例では、前部下部開口部は、前面板状部２１の下部の横方向のほぼ全体が開口したものであり、側部下部開口部は、側部板状部２２の下部の横方向のほぼ全体が開口している。このため、この実施例では、図５および図６に示すように、医療用具包装体取出用開口部２７ａにおいて、略直方体状医療用具包装体５の横に長い前面部５１の全体および一方の側面部５２の全体が露出するとともに、前面部５１と側面部５２を繋ぐ角部も露出している。よって、医療用具包装体取出用開口部２７ａより、医療用具包装体５を容易に取り出すことができる。
【００２６】
さらに、前列のすべての医療用具包装体５を取り出した後において、後列の医療用具包装体５の取り出しも容易である。また、この実施例の医療用具包装体収納ケース１ａにおいても、底板部２５上に、最下層の医療用具包装体５の底面部が載置されているため、ケース１ａとともに、収納されている医療用具包装体５を容易に運ぶことができる。
【００２７】
また、本発明の本発明の医療用具包装体収納ケースおよび複数の医療用具包装体５からなる医療用具収納体は、図７に示すような医療用具包装体収納ケース１ｂおよび医療用具収納体１０ｂであってもよい。
この実施例の医療用具包装体収納ケース１ｂおよび医療用具収納体１０ｂと上述した医療用具包装体収納ケース１および医療用具収納体１０との相違は、収納本体部２ｂの形態（大きさ）と医療用具包装体取出用開口部２７ｂの形態のみである。
【００２８】
この実施例の医療用具包装体収納ケース１ｂにおいても、収納本体部２ｂの上部に設けられた上部開口部２６と、前面板状部２１の下部に設けられた前部下部開口部と、第１の側部板状部または第２の側部板状部（この実施例では、第１の側部板状部２２）の下部に設けられ、前部下部開口部と連続する側部下部開口部とを備える。そして、前部下部開口部と側部下部開口部により医療用具包装体取出用開口部２７ｂが形成されている。
【００２９】
そして、この実施例の医療用具包装体収納ケース１ｂでは、長手方向に平置きされた略直方体状医療用具包装体を複数積層した積層物を１列のみ収納可能なものとなっている。そして、この実施例では、前部下部開口部は、前面板状部２１の下部の横方向のほぼ全体が開口したものであり、側部下部開口部は、側部板状部２２の下部の横方向のほぼ全体が開口している。
【００３０】
また、上述したすべての実施例において、ハンドル部は、図８に示す医療用具包装体収納ケース１ｃおよび医療用具収納体１０ｃが備えるタイプのもであってもよい。
この実施例におけるハンドル部３ａは、上述したハンドル部３とは異なり、上下方向に移動（スライド）可能なものとなっている。
【００３１】
この実施例のハンドル部３ａは、ハンドルバー３１と、ハンドルバー３１の両端部に上端部が固定された２つのハンドル側部３２ａ、３２ｂを備える。ハンドルバー３１は、円柱もしくは円筒状のものが好適である。ハンドル側部３２ａ、３２ｂは、固定部材３３ａ，３３ｂにより、ハンドルバー３１に固定されている。さらに、ハンドル側部３２ａ、３２ｂは、スライド可能かつ離脱不能に収納本体部２の第１の側部板状部２２および第２の側部板状部２３に保持されている。
【００３２】
このため、ハンドル部３ａは、収納本体部２の上下方向に移動可能となっている。この実施例では、ハンドル側部３２ａ、３２ｂは、板状の部材により形成されており、それぞれの下部が、スライド部材内を摺動可能となっている。スライド部材７は、向かい合う２本のスライドレール７１、７２と、スライドレール７１、７２の上部（上端部）に設けられた離脱防止リブ７３、７４を備えている。そして、ハンドル側部３２ａ、３２ｂの下端部には、スライドレール７１、７２の上部（上端部）に設けられた離脱防止リブ７３、７４と係合するための突出部３８を備えている。このため、このため、ハンドル部３ａは、収納本体部２の上方向に、ハンドル部の突出部３８が、スライドレール７１、７２の離脱防止リブ７３、７４と当接するまで移動可能であり、また、ハンドル部３ａのハンドルバーが、収納本体部２の上端に当接するまで下方に移動可能となっている。
【００３３】
また、上述したすべての実施例において、ハンドル部は、図９に示す医療用具包装体収納ケース１ｄおよび医療用具収納体１０ｄが備えるタイプのもであってもよい。
この実施例におけるハンドル部３ｂは、上述したハンドル部３，３ａとは異なり、回動も上下方向移動もできないものとなっている。
【００３４】
この実施例のハンドル部３ｂは、ハンドルバー３１と、ハンドルバー３１の両端部に上端部が固定された２つのハンドル側部３２ａ、３２ｂを備える。ハンドルバー３１は、円柱もしくは円筒状のものが好適である。ハンドル側部３２ａ、３２ｂは、固定部材３３ａ，３３ｂにより、ハンドルバー３１に固定されている。そして、ハンドル側部３２ａ、３２ｂは、下部３９ａ，３９ｂにて、収納本体部２の第１の側部板状部２２および第２の側部板状部２３に固定されている。
【００３５】
また、上述したすべての実施例において、ハンドル部は、図１０および図１１に示す医療用具包装体収納ケース１ｅおよび医療用具収納体１０ｅが備えるタイプのもであってもよい。
この実施例では、収納本体部２ｅの前面板状部２１は、上部に延出する延出板状部２８を備えている。そして、延出板状部２８には、切欠部２９が形成されている。この実施例におけるハンドル部３ｃは、延出板状部２８の切欠部２９により構成されている。なお延出板状部は、前面板状部に設けるものに限定されるものではなく、背面板状部２４、第１の側部板状部２２、第２の側部板状部２３に設けてもよく、また、複数の板状部に設けてもよい。
【００３６】
また、上述したすべての実施例の医療用具包装体収納ケースにおいて、図１５ないし図１９に示す医療用具包装体収納ケース１ｆのような折り畳み可能なものであってもよい。
【００３７】
この実施例の医療用具包装体収納ケース１ｆは、図１９に示すように、折り畳み可能となっている。この実施例の医療用具包装体収納ケース１ｆは、折り畳むことにより、厚みの少ない平板状のものとなる。また、この実施例の医療用具包装体収納ケース１ｆにおいても、図１５ないし図１７に示すように、複数の医療用具包装体５を積層した状態にて収納する収納本体部２ｆを備える。この実施例の収納本体部２ｆは、上方に長く延びた直方体状のものとなっている。この実施例では、収納される医療用具包装体は、上述した略直方体状医療用具包装体であり、医療用具包装体収納ケース１ｆは、長手方向に平置きされた略直方体状医療用具包装体を複数積層した状態にて収納可能なものとなっている。
【００３８】
そして、この実施例においても、図１５ないし図１７に示すように、収納本体部２ｆは、前面板状部２１と、前面板状部と向かい合う背面板状部２４と、前面板状部２１の側部と背面板状部２４の側部を接続する第１の側部板状部２２および第２の側部板状部２３と、背面板状部２４の下端部と第１の側部板状部２２または／および第２の側部板状部２３（この実施例では、第１の側部板状部２２および第２の側部板状部２３）の下端部を接続する底面６０を備えている。また、上述した医療用具包装体収納ケース１と同様に、この実施例の医療用具包装体収納ケース１ｆも、前部下部開口部と側部下部開口部により医療用具包装体取出用開口部２７と、上部開口部２６とを備えている。
【００３９】
そして、この実施例では、収納本体部２ｆの第１の側部板状部２２は、上部に延出する第１の延出板状部３ｄを備え、さらに、第１の延出板状部３ｄには、切欠部３６ａが形成されている。同様に、第２の側部板状部２３は、上部に延出する第２の延出板状部３ｅを備え、さらに、第２の延出板状部３ｅには、切欠部３６ｂが形成されている。この実施例では、２つの延出部３ｄ，３ｅにより、ハンドル部が形成されている。なお、ハンドル部は、上述した実施例の医療用具包装体収納ケース１ｅのように、収納本体部の前面板状部２１に、上部に延出する延出板状部を備えるものでもよく、また、背面板状部２４が延出部を備えるものでもよい。
【００４０】
そして、この実施例の医療用具包装体収納ケース１ｆでは、図１８に示すように、底面６０は、底板部６１、６２，６３、６４により形成されている。そして、底板部６１と底板部６３は、部分的かつ底板部６１の一端部が収納ケースの内側となるように重なっており、底板部６１と底板部６４は、底板部６１の他端部が収納ケースの外側となるように部分的に重なっており、かつ、底板部６１と底板部６４は、重なる部分６７において接着されている。なお、底板部６１と底板部６３は、重なる部分において接着されていない。
【００４１】
同様に、図１８に示すように、底板部６２と底板部６４は、部分的かつ底板部６２の一端部が収納ケースの内側となるように重なっており、底板部６２と底板部６３は、底板部６２の他端部が包装箱の外側となるように部分的に重なっており、かつ、底板部６２と底板部６３は、重なる部分６８において接着されている。なお、底板部６２と底板部６４は、重なる部分において接着されていない。
【００４２】
この収納ケース１ｆは、底板部６１、６２が、収納ケースの内側に折り畳み可能となっており、底板部６３、６４は、底板部６１、６２の一方のみに固定されており、また、接着された重なり部６７、６８には、角部に延びる谷折り線６５、６６が設けられている。このため、底板部６１、６２の収納ケースの内側への折り畳みに追従して、底板部６３、６４は、谷折り線６５、６６にて、折れ曲がるため、底板部６１、６２の収納ケースの内側への折り畳みの障害とならないものとなっている。そして、収納ケース１ｆは、畳んだ状態では、図１９に示す状態となっており、側板部２２，２３を押し広げることにより、図１８に示すように、広がり、底面６０が形成される。
【００４３】
また、上述したすべての実施例の医療用具包装体収納ケースにおいて、医療用具包装体取出用開口部は、図２０および図２１に示す医療用具包装体収納ケース１ｇが備えるような医療用具包装体取出用開口部３０であってもよい。
この実施例の医療用具包装体収納ケース１ｇは、図２０および図２１に示すように、また、上述した実施例と同様に、複数の医療用具包装体５を積層した状態にて収納する収納本体部２ｇを備える。この実施例の収納本体部２ｇは、上方に長く延びた直方体状のものとなっている。この実施例では、収納される医療用具包装体は、上述した略直方体状医療用具包装体であり、医療用具包装体収納ケース１ｇは、長手方向に平置きされた略直方体状医療用具包装体を複数積層した状態にて収納可能なものとなっている。
【００４４】
そして、この実施例においても、図２０および図２１に示すように、収納本体部２ｇは、前面板状部２１と、前面板状部と向かい合う背面板状部２４と、前面板状部２１の側部と背面板状部２４の側部を接続する第１の側部板状部２２および第２の側部板状部２３と、前面板状部２１の下端部と、背面板状部２４の下端部と第１の側部板状部２２または第２の側部板状部２３（この実施例では、第２の側部板状部２３）の下端部を接続する底面６０を備えている。また、上述した医療用具包装体収納ケース１と同様に、この実施例の医療用具包装体収納ケース１ｇも、下部に医療用具包装体取出用開口部３０を備え、上部には、上部開口部２６を備えている。
【００４５】
この実施例の収納ケース１ｇの医療用具包装体取出用開口部３０は、前面板状部２１の一方の側部内から第１の側部板状部２２の下部に延びるものとなっている。よって、この実施例の医療用具包装体収納ケース１ｇにおいても、前面下部から一方の側面下部に延びる医療用具包装体取出用開口部を備えている。なお、この実施例の医療用具包装体取出用開口部３０は、前面板状部２１の下部の全体に延びるものではなく、前面板状部２１の一方の側端より所定長内側となる部位に始端を有し、そこから第１の側部板状部２２の下部に延びるものとなっている。
【００４６】
そして、この実施例における医療用具包装体取出用開口部３０は、第１の側部板状部２２の下部の全体に延びている。さらに、この医療用具包装体取出用開口部３０は、背面板状部２４の一方の側部内に延び、背面板状部２４の一方の端側より所定長内側となる部位に終端を有するものとなっている。また、底面６０の一端部も、取出用開口部３０により切り欠かれている。このため、この実施例では、収納ケース１ｇは、一方の側部下端部が医療用具包装体取出用開口部３０により切り欠かれた状態となっている。なお、底面６０は、切欠を持たないものであってもよく、この場合、底面６０の一端は、取出用開口部３０に突出するものとなる。
【００４７】
本発明の医療用具包装体収納ケースの形成材料としては、合成樹脂、紙、補強紙、ダンボール紙、プラスチックダンボールなどにより形成することができる。また、医療用具包装体収納ケースとしては、合成樹脂にて一体に成形されたものであってもよい。また、上述した実施例のように、折りたたみ可能となっているものであってもよい。折りたたみ可能な医療用具包装体収納ケースは、折り曲げ可能な材料、例えば、合成樹脂シート、紙、補強紙、ダンボール紙、プラスチックダンボールなどにより、作成することができる。
【産業上の利用可能性】
【００４８】
本発明の医療用具包装体収納ケースは、以下のものである。
（１）  注射針とプレフィルドシリンジと、前記注射針と前記プレフィルドシリンジを収納した収納箱からなる医療用具包装体を複数収納するための医療用具包装体収納ケースであって、
前記医療用具包装体収納ケースは、複数の前記医療用具包装体を積層した状態にて収納する収納本体部と、前記収納本体部に取り付けられたハンドル部とを備え、前記収納本体部は、前面下部から一方の側面下部に延びる医療用具包装体取出用開口部を備える医療用具包装体収納ケース。【００４９】
医療用具包装体収納ケースは、複数の医療用具包装体を積層した状態にて収納可能であるため、複数の医療用具包装体を、冷蔵庫内に効率よく収納でき、また、下部に、医療用具包装体取出用開口部を備えるため、取り出しも容易である。さらに、医療用具包装体は、積層された安定した状態にて冷蔵庫内にて保管可能である。【００５０】
また、上記の実施態様は、以下のものであってもよい。
（２）  前記医療用具包装体は、略直方体状医療用具包装体であり、前記医療用具包装体収納ケースは、長手方向に平置きされた前記略直方体状医療用具包装体を複数積層した状態にて収納するものである上記（１）に記載の医療用具包装体収納ケース。
（３）  前記収納本体部は、前面板状部と、前記前面板状部と向かい合う背面板状部と、前記前面板状部の側部と前記背面板状部の側部を接続する第１の側部板状部および第２の側部板状部と、前記背面板状部の下端部と前記第１の側部板状部または／および前記第２の側部板状部の下端部を接続する底板部と、前記収納本体部の上部に設けられた上部開口部と、前記前面板状部の下部に設けられた前部下部開口部と、前記第１の側部板状部または前記第２の側部板状部の下部に設けられ、前記前部下部開口部と連続する側部下部開口部とを備え、前記前部下部開口部と前記側部下部開口部により前記医療用具包装体取出用開口部が形成されている上記（１）または（２）に記載の医療用具包装体収納ケース。
（４）  前記前部下部開口部は、前記前面板状部の下部の横方向のほぼ全体が開口したものであり、前記側部下部開口部は、前記側部板状部の下部の横方向の半分以上が開口したものである上記（３）に記載の医療用具包装体収納ケース。
（５）  前記医療用具包装体は、略直方体状医療用具包装体であり、前記医療用具包装体収納ケースは、長手方向に平置きされた前記略直方体状医療用具包装体を複数積層した積層物を前後に複数列収納するものである上記（２）ないし（４）のいずれかに記載の医療用具包装体収納ケース。
（６）  前記注射針は、皮内注射針であり、前記医療用具包装体は、前記皮内注射針をほぼ垂直状態に収納しており、前記医療用具包装体収納ケースは、前記医療用具包装体を前記皮内注射針がほぼ垂直状態となるように複数積層した状態にて収納するものである上記（１）ないし（５）のいずれかに記載の医療用具包装体収納ケース。
（７）  前記医療用具包装体収納ケースは、温度履歴表示体を備えている上記（１）ないし（６）のいずれかに記載の医療用具包装体収納ケース。
（８）  前記ハンドル部は、前記収納本体部に対して、回動可能もしくは上下移動可能（上下にスライド可能）となっている上記（１）ないし（７）のいずれかに記載の医療用具包装体収納ケース。
（９）  前記医療用具包装体収納ケースは、折り畳み可能である上記（１）ないし（８）のいずれかに記載の医療用具包装体収納ケース。【００５１】
本発明の医療用具収納体は、以下のものである。
（１０）  上記（１）ないし（９）のいずれかに記載の医療用具包装体収納ケースと、前記医療用具包装体収納ケースに収納された複数の医療用具包装体からなる医療用具収納体であって、
前記医療用具包装体は、略直方体状医療用具包装体であり、前記医療用具包装体収納ケースは、長手方向に平置きされた前記略直方体状医療用具包装体を複数積層した状態にて収納している医療用具収納体。
【図１】
2019131465.tif 000003
【図２】
2019131465.tif 000004
【図３】
2019131465.tif 000005
【図４】
2019131465.tif 000006
【図５】
2019131465.tif 000007
【図６】
2019131465.tif 000008
【図７】
2019131465.tif 000009
【図８】
2019131465.tif 000010
【図９】
2019131465.tif 000011
【図１０】
2019131465.tif 000012
【図１１】
2019131465.tif 000013
【図１２】
2019131465.tif 000014
【図１３】
2019131465.tif 000015
【図１４】
2019131465.tif 000016
【図１５】
2019131465.tif 000017
【図１６】
2019131465.tif 000018
【図１７】
2019131465.tif 000019
【図１８】
2019131465.tif 000020
【図１９】
2019131465.tif 000021
【図２０】
2019131465.tif 000022
【図２１】
2019131465.tif 000023
【国際調査報告】
2019131465.tif 000024
2019131465.tif 000025
2019131465.tif 000026
2019131465.tif 000027